(57)【特許請求の範囲】
【請求項１】
外容器と、外容器の口筒部に装着され、内容物を収容する内容器と、外容器の口筒部にポンプを取着する取付キャップとからなる複合容器であって、
外容器には、側周に口筒部上端から連なり、口筒部の内径を拡径可能とする切欠部を設け、
外容器の口筒部内周と内容器の口筒部外周がほぼ同径として、内容器の装着時に外容器の口筒部内周に内容器の口筒部外周を嵌合可能とし、
内容器の口筒部を厚肉とし、その外周上端の所定位置に外容器の切欠部の上端側部に係合する係合突部を設け、
着脱時には、外容器の口筒部の内径を拡径して、外容器内に内容器を着脱するようにしたことを特徴とする複合容器。
【請求項２】
内容器の口筒部の外周上端に、外容器の口筒部の上端に下面が係合するフランジを設け、
フランジの下面に外容器の切欠部の上端側部に係合する係合突部を設けたことを特徴とする請求項１記載の複合容器。
【請求項３】
外容器の口筒部上端に係合凹部を設け、
内容器の口筒部の外周上端またはフランジの下面に、外容器の切欠部の上端側部、および係合凹部に係合する係合突部を突設したことを特徴とする請求項１または２記載の複合容器。
【請求項４】
外容器の口筒部内周に係合溝を設け、
内容器の口筒部外周に、前記係合溝に係合する係合突条を設けたことを特徴とする請求項１〜３のいずれかに記載の複合容器。
【請求項５】
外容器の口筒部上端に係合凹部を設け、
内容器の口筒部の外周上端に、外容器の口筒部内周と外周がほぼ同径のフランジを設け、フランジの外周に外容器の切欠部の上端側部、および係合凹部に係合する係合突部を突設したことを特徴とする請求項１記載の複合容器。
【請求項６】
取付キャップの係合により、外容器の口筒部が、内容器の口筒部に締め付けられていることを特徴とする請求項１〜５のいずれかに記載の複合容器。
【請求項７】
内容器は、内容液を充填した後に、口筒部上端にシールが取着され、レフィル容器として使用することを特徴とする請求項１〜６のいずれかに記載の複合容器。
【発明の詳細な説明】
【技術分野】
【０００１】
本発明は、複合容器、とくに内容液を充填した内容器を交換可能として、外容器に取着した複合容器に関するものである。
【背景技術】
【０００２】
内容物を収納する交換可能な内容器と、内容器を内部に装着する外容器とからなる容器において、口筒部に内容物を吸上げるポンプを取付けた複合容器は、従来より知られている（例えば特許文献１参照）。
【特許文献１】特開２００３−４０３０４号公報
【発明の開示】
【発明が解決しようとする課題】
【０００３】
しかしながら、上記特許文献１記載の容器では、ポンプのポンプキャップ（２１ａ）を内容器の口部（３）に取着し、ポンプキャップ（２１ａ）の下端と内容器に設けたネックリング（５）との挟み込みにより外容器を内容器に取着し、回動を阻止するために、ネックリング（５）を角形とし、ネックリング（５）に係合する同形の短筒片（１５）を外容器の頂壁（１２）の下面に垂設しており、内容器の取着にあたって、まず始めに、位置合わせをしなければならなかったので、取着が簡単ではなかった。
【０００４】
また、ポンプのポンプキャップ（２１ａ）を内容器の口部（３）に取着し、ポンプキャップ（２１ａ）の下端と内容器に設けたネックリング（５）とで外容器を挟み込んで取着するため、内容器の口部（３）とネックリング（５）にある程度の保形性が必要であり、内容器全体をできるだけ薄肉に形成することができなかった。
【０００５】
本発明は、上記問題を解決することを課題とし、外容器の口筒部に、内容物を収容する薄肉に形成された内容器を取着し、外容器の口筒部に内容器の内容物を吐出するポンプを取付キャップで取着することにより、外容器の口筒部に内容器を簡単に着脱できるとともに、外容器、内容器の口筒部の保形性を保つようにした複合容器を提供することを目的とする。
【課題を解決するための手段】
【０００６】
本発明は、上記の課題を解決するため、複合容器として、外容器と、外容器の口筒部に装着され、内容物を収容する内容器と、外容器の口筒部にポンプを取着する取付キャップとからなる複合容器であって、外容器には、側周に口筒部上端から連なり、口筒部の内径を拡径可能とする切欠部を設け、外容器の口筒部内周と内容器の口筒部外周がほぼ同径として、内容器の装着時に外容器の口筒部内周に内容器の口筒部外周を嵌合可能とし、内容器の口筒部を厚肉とし、その外周上端の所定位置に外容器の切欠部の上端側部に係合する係合突部を設け、着脱時には、外容器の口筒部の内径を拡径して、外容器内に内容器を着脱するようにしたことを特徴とする構成を採用する。
【０００７】
外容器と内容器とを係合取着するための実施例として、内容器の口筒部の外周上端に、外容器の口筒部の上端に下面が係合するフランジを設け、フランジの下面に外容器の切欠部の上端側部に係合する係合突部を設けたことを特徴とする構成を採用する。
【０００８】
また、別実施例として、外容器の口筒部上端に係合凹部を設け、内容器の口筒部の外周上端またはフランジの下面に、外容器の切欠部の上端側部、および係合凹部に係合する係合突部を突設したことを特徴とする構成を採用し、各口筒部を補強するため、外容器の口筒部内周に係合溝を設け、内容器の口筒部外周に、前記係合溝に係合する係合突条を設けたことを特徴とする構成を付加する。
【０００９】
また、他の実施例として、外容器の口筒部上端に係合凹部を設け、内容器の口筒部の外周上端に、外容器の口筒部内周と外周がほぼ同径のフランジを設け、フランジの外周に外容器の切欠部の上端側部、および係合凹部に係合する係合突部を突設したことを特徴とする構成を採用する。
【００１０】
複合容器に付加する構成として、取付キャップの係合により、外容器の口筒部が、内容器の口筒部に締め付けられていることを特徴とする構成、或いは、内容器は、内容液を充填した後に、口筒部上端にシールが取着され、レフィル容器として使用することを特徴とする構成を採用する。
【発明の効果】
【００１１】
外容器の側周に切欠部を切り込むことで、外力により、外容器の口筒部を拡径でき、リフィル容器としての内容器の付替えが簡単にできるようになった。
内容器上端に係合突部を設け、切欠部の上端側部と係合させることにより、外容器と内容器との間の回動を阻止することができるようになった。
また、外容器に取付キャップを取着することで、外容器、および内容器の口筒部の保形性が保たれ、外容器内で内容器が確実に保持されるようになった。
さらにまた、ポンプ取付前に外容器を押圧することによって内容器を保持できるので、内容器のシールを容易に剥がすことができるようになった。
【発明を実施するための最良の形態】
【００１２】
次に、本発明の容器の実施形態について、実施例をあげ、図面を参照して説明する。
【実施例１】
【００１３】
本発明の第１実施例について説明する。
図１において、Ａは外容器、Ｂは外容器Ａ内に収納される内容器、Ｃは取付キャップ、Ｄはポンプである。
【００１４】
図１、２に示すように、外容器Ａは、口筒部１と肩部２と、下方に向かって拡径する底部が開放された円筒状の胴筒壁３とを具えており、口筒部１の外周には、ねじ４が設けられている。
また、外容器Ａの側周には、口筒部１上端から胴筒壁３の下方部まで、中心に対して対角状に二箇所の切欠部５が設けられている。
【００１５】
外容器Ａは、二箇所の切欠部５によって、前部Ａ１と、後部Ａ２と、二箇所の連結部Ａ３とが形成されており、外力により、下部の二箇所の連結部Ａ３を支点に、上部の前部Ａ１と後部Ａ２との間を広げたり、狭めたりすることができるようになっている。
それによって、口筒部１の内周径を拡径することができる。
【００１６】
図２に示すように、内容器Ｂは、内容物を収納する薄肉レフィル容器として、保形性を持つように厚肉に形成された口筒部１０と、押潰し変形可能なように薄肉に形成された容器胴部１１とで形成されている。
口筒部１０の外周径は、平常時の外容器Ａの口筒部１の内周径とほぼ同径であるように形成されている。
【００１７】
口筒部１０の上端には、フランジ１２が設けられ、フランジ１２下面とフランジ１２に連なる口筒部１０周壁には、外容器Ａの二箇所の切欠部５の上端部内側に係合する係合突部１３が設けられている。
内容器Ｂをレフィル容器として使用する際には、内容物を充填した後に、内容器Ｂの口筒部１０のフランジ１２上面に剥離可能なシ−ルｓが装着される。
【００１８】
取付キャップＣは、図１に示すように、ポンプＤを支持する上壁１５と、上壁１５周縁に垂設された外容器Ａのねじ４と螺合するねじ１６を内周に設けた側周壁１７とを具えている。
【００１９】
ポンプＤは、従来公知のもので、取付キャップＣの上壁１５に支持され、シリンダー２０とステム２１を連設したピストン（図示しない）とを具えており、シリンダー２０の下端には、ジョイント２２が取着されている。
ステム２１の上部には、ノズルヘッド２３が取着されている。
【００２０】
ポンプＤの内部構成は、内容器Ｂ内の内容物をノズルヘッド２３の押下げ操作で吐出ノズル２４より吐出させることができるものであればよい。
また、ポンプとして、噴霧ヘッドを取着したポンプ、トリガー式の噴霧ポンプを取着してもよい。
【００２１】
次に、本第１実施例複合容器の使用態様と作用効果について説明する。
容器の組立にあたっては、まず、外容器Ａの下方より内容器Ｂを挿入し、外容器Ａ内に内容器Ｂを装着する。
その後、ポンプＤとともに、取付キャップＣを外容器Ａの口筒部１に装着する。
【００２２】
外容器Ａ内に内容器Ｂを装着するに際して、まず、図３（ａ）に示すように、内容器Ｂ上端のフランジ１２が、外容器Ａの口筒部１内周下端に当接する。
さらに、内容器Ｂを上方に押し上げることにより、図３（ｂ）に示すように、フランジ１２の外縁が外容器Ａの口筒部１内周を、二箇所の連結部Ａ３を支点にして押し広げる。
そして、フランジ１２の外縁が口筒部１内周の上端を乗り越え、図３（ｃ）に示すように、フランジ１２下面が口筒部１上端に係合し、また、内容器Ｂの係合突部１３側面が、外容器Ａの切欠部５の上端部側面に係合する。
【００２３】
取付キャップＣを外容器Ａに装着するに際して、外容器Ａの口筒部１のねじ４と取付キャップＣの側周壁１７のねじ１６を螺合すると、外容器Ａの前部Ａ１と後部Ａ２の口筒部１が締め付けられ、前部Ａ１と後部Ａ２との間が広がることを阻止する。
【００２４】
また、内容器Ｂの係合突部１３側面と外容器Ａの切欠部５の上端部側面との係合と、内容器Ｂの口筒部１０外周により、外容器Ａの口筒部１の縮径が阻止され、取付キャップＣによる締め付けとともに口筒部１の保形性を保つことになる。
【００２５】
内容器Ｂの係合突部１３と外容器Ａの切欠部５との係合により、内容器Ｂの口筒部１０が外容器Ａの口筒部１内で回転することを阻止し、また、内容器Ｂのフランジ１２下面と外容器Ａの口筒部１上端との係合により、内容器Ｂが外容器Ａ内より抜け落ちることを防止している。
【００２６】
使用にあたっては、ポンプＤのノズルヘッド２３を押下げ操作することにより、内容器Ｂ内の内容物を吸上げ、吐出ノズル２４より吐出される。
また、内容物が吸上げられることによって、内容器Ｂ内が負圧になり、内容器Ｂの薄肉に形成された容器胴部１１が徐々に内方に押潰されていく。
【００２７】
次に、内容器Ｂの詰め替えについて説明する。
内容器Ｂ内の内容物を使い終わったら、まず、外容器Ａ、および内容器ＢからポンプＤとともに取付キャップＣを外し、外容器Ａから内容器Ｂを取り出す。
【００２８】
外容器Ａの口筒部１から取付キャップＣを外すことにより、外容器Ａの口筒部１の締め付けが解除される。
さらに、外容器Ａを外力により、連結部Ａ３を支点に、前部Ａ１と後部Ａ２との間を広げ、内容器Ｂのフランジ１２下面と外容器Ａの口筒部１上端との係合を外し、内容器Ｂを外容器Ａの下方から引張ると、外容器Ａ内から内容器Ｂを取り出すことができる。
【００２９】
次に、内容物が充填された新しい内容器Ｂを外容器Ａの下方より挿入し、内容器Ｂを外容器Ａ内に装着する。
そして、内容器Ｂに取着されたシ−ルｓを剥離し、再度、ポンプＤとともに取付キャップＣを外容器Ａの口筒部１に装着する。
シ−ルｓの剥離に際しては、内容器Ｂを外容器Ａで押さえることによって保持できるので、摘み部を掴んで容易に剥離することができる。
内容物の吐出は、ノズルヘッド２３の押下げ操作により、ポンプＤで新しい内容器Ｂ内の内容物を吸上げ、ノズルヘッド２３の吐出ノズル２４より吐出することができる。
【実施例２】
【００３０】
次に、内容器の口筒部と外容器の口筒部の構成を変えた第２実施例について説明する。
外容器と内容器の構成以外は、実施例１と同様であるので、添字ａを付して図示し、詳しい説明は省略する。
図４において、Ｅは外容器、Ｆは外容器Ｅ内に収納される内容器、Ｃａは取付キャップ、Ｄａはポンプである。
【００３１】
外容器Ｅは、口筒部２５と肩部２６と、下方に向かって拡径する底部が開放された円筒状の胴筒壁２７とを具えており、口筒部２５の外周にはねじ２８が設けられ、内周には係合溝２９が設けられている。
また、外容器Ｅの側周には、口筒部２５上端から胴筒壁２７の下方部まで、中心に対して対角状に二箇所の切欠部３０が設けられ、口筒部２５の上端には、二箇所の切欠部３０間の所定の位置に二箇所の係合凹部３１が設けられている。  
【００３２】
外容器Ｅは、二箇所の切欠部３０により、実施例１の外容器と同様に、外力により上部の前部Ｅ１と後部Ｅ２との間を広げたり、狭めたりすることができるようになっている。
【００３３】
内容器Ｆは、内容物を収納する薄肉レフィル容器として、保形性を持つように厚肉に形成された口筒部３５と、押潰し変形可能なように、薄肉に形成された容器胴部３６とで形成されている。
口筒部３５の外周径は、平常時の外容器Ｅの口筒部２５の内周径とほぼ同径であるように形成され、口筒部３５の外周には、外容器Ｅの口筒部２５内周の係合溝２９と係合する係合突条３７が設けられている。
【００３４】
口筒部３５の上端には、外容器Ｅの二箇所の切欠部３０の上端部内側と、二箇所の係合凹部３１に係合する係合突部３８がそれぞれ四箇所に突設されている。
内容器Ｆをレフィル容器として使用する際には、内容物を充填した後に、内容器Ｆの口筒部３５と係合突部３８上面に剥離可能なシ−ルｓが装着されている。
【００３５】
次に、本実施例容器の作用効果について説明する。  
容器の組立に際して、外容器Ｅの下方より内容物を充填した内容器Ｆを挿入し、まず、内容器Ｆ上端の係合突部３８を外容器Ｅの口筒部２５内周下端に当接させる。
【００３６】
さらに、内容器Ｆを上方に押し上げていくと、係合突部３８の外縁が、外容器Ｅの口筒部２５内周を押し広げていく。
そして、図５に示すように、四箇所の係合突部３８が、外容器Ｅの口筒部２５の切欠部３０上端部内側、および係合凹部３１とそれぞれ係合し、外容器Ｅの口筒部２５内周の係合溝２９と、内容器Ｆの口筒部３５外周の係合突条３７とが係合する。
【００３７】
最後に、ポンプＤａとともに取付キャップＣａを外容器Ｅの口筒部２５に装着することによって、外容器Ｅの口筒部２５が締め付けられ、外容器Ｅの切欠部３０と内容器Ｆの係合突部３８との係合と、内容器Ｆの口筒部３５外周により、口筒部２５の保形性を保つこととなる。
【００３８】
内容器Ｆの係合突部３８と外容器Ｅの切欠部３０、および係合凹部３１との係合により、内容器Ｆの口筒部３５が外容器Ｅの口筒部２５内で回転することを阻止し、また、内容器Ｆの係合突条３７と外容器Ｅの係合溝２９、および係合突部３８と、係合凹部３１との係合により、内容器Ｆが外容器Ｅの口筒部２５より抜け落ちることを防止している。
【００３９】
内容器Ｆの詰め替えについては、実施例１と同様に、外容器Ｅ、および内容器Ｆから取付キャップＣａ、およびポンプＤａを外し、外容器Ｅを外力により、前部Ｅ１と後部Ｅ２との間を連結部Ｅ３を支点として広げ、内容器Ｆを外容器Ｅの下方から引張ると、外容器Ｅ内から内容器Ｆを取り出すことができる。
新しい内容器Ｆを、再度、外容器Ｅ内に装着して、内容器Ｆのシールｓを剥離し、ポンプＤａと取付キャップＣａを装着すると、ポンプＤａで新しい内容器Ｆ内の内容物を吸上げ、吐出することができる。
【実施例３】
【００４０】
次に、内容器の口筒部と外容器の口筒部の構成を変えた第３実施例について説明する。
外容器と内容器の構成以外は、実施例１、２と同様であるので、添字ｂを付して図示し、詳しい説明は省略する。
図６において、Ｇは外容器、Ｈは外容器Ｇ内に収納される内容器、Ｃｂは取付キャップ、Ｄｂはポンプである。
【００４１】
外容器Ｇは、口筒部４０と肩部４１と、下方に向かって拡径する底部が開放された円筒状の胴筒壁４２とを具えており、口筒部４０の外周には、ねじ４３が設けられている。
また、外容器Ｇの側周には、口筒部４０上端から胴筒壁４２の下方部まで、中心に対して対角状に二箇所の切欠部４４が設けられ、口筒部４０の上端には、二箇所の切欠部４４間の所定の位置に二箇所の係合凹部４５が設けられている。  
【００４２】
内容器Ｈは、内容物を収納する薄肉レフィル容器として、保形性を持つように厚肉に形成された口筒部５０と、押潰し変形可能なように薄肉に形成された容器胴部５１とで形成されており、口筒部５０の上端にはフランジ５２が設けられている。
【００４３】
フランジ５２の外周径は、平常時の外容器Ｇの口筒部４０の内周径とほぼ同径であるように形成され、フランジ５２外周縁には、外容器Ｇの二箇所の切欠部４４の上端部内側と二箇所の係合凹部４５に係合する係合突部５３がそれぞれ四箇所に突設されている。
内容器Ｈをレフィル容器として使用する際には、内容物を充填した後に、内容器Ｈのフランジ５２、および係合突部５３上面に剥離可能なシ−ルｓが装着されている。
【００４４】
次に、本実施例容器の作用効果について説明する。  
容器の組立に際して、外容器Ｇの下方より内容物を充填した内容器Ｈを挿入し、まず、内容器Ｈのフランジ５２の係合突部５３を外容器Ｇの口筒部４０内周下端に当接させる。
【００４５】
さらに、内容器Ｈを上方に押し上げていくと、係合突部５３の外縁が、外容器Ｇの口筒部４０内周を押し広げていく。
そして、図７に示すように、四箇所の係合突部５３が、外容器Ｇの口筒部４０の切欠部４４上端部内側、および係合凹部４５とそれぞれ係合する。
【００４６】
最後に、ポンプＤｂとともに取付キャップＣｂを外容器Ｇの口筒部４０に装着することで、外容器Ｇの口筒部４０が締め付けられ、外容器Ｇの切欠部４４と内容器Ｈの係合突部５３との係合と、内容器Ｈのフランジ５２外周により、口筒部４０の保形性を保つこととなる。
【００４７】
内容器Ｈの係合突部５３と外容器Ｇの切欠部４４、および係合凹部４５との係合により、内容器Ｈの口筒部５０が、外容器Ｇの口筒部４０内で回転することを阻止し、また、口筒部４０から抜け落ちることを防止している。
【００４８】
内容器Ｈの詰め替えについては、実施例１、２と同様に、外容器Ｇ、および内容器Ｈから取付キャップＣｂ、およびポンプＤｂを外し、外容器Ｇを外力により、前部Ｇ１と後部Ｇ２との間を連結部Ｇ３を支点として広げ、内容器Ｈを外容器Ｇの下方から引張ると、外容器Ｇ内から内容器Ｈを取り出すことができる。
新しい内容器Ｈを、再度、外容器Ｇ内に装着して、内容器Ｈのシールｓを剥離し、ポンプＤｂと取付キャップＣｂを装着すると、ポンプＤｂで新しい内容器Ｈ内の内容物を吸上げ、吐出することができる。
【００４９】
上記各実施例の複合容器は、レフィル容器としての内容器を外容器内に装着させた後に、内容器の口筒部上端に装着したシールを剥離することができるため、内容器を外容器内に装着する際に、内容物が揺れて内容器の口筒部から溢れ出てしまうことを防止できる。
また、内容器の口筒部と外容器の口筒部の係合で、内容器が外容器内で回転することを阻止するため、内容器の口筒部上端からシールを簡単に剥離することができる。
【００５０】
上記各実施例では、外容器の側周に、切欠部を中心に対して対角状に二箇所設けることで、外力により、下部の二箇所の連結部を支点に、外容器の口径を広げたり、狭めたりしていた。
しかし、外容器の側周の片側の一箇所だけに、切欠部を設けることで、外力により、外容器の切欠部の反対側の側周を支点に、外容器の口径を広げたり、狭めたりすることも可能である。                                    
その際は、外容器の口筒部に係合する内容器の係合突部を切欠部にあわせて減らすこともできる。
また、外容器の側周に複数の切欠部を設け、外容器の口径を広げたりするようにしてもよい。
【産業上の利用可能性】
【００５１】
本発明は、外容器の側周に切欠部を設け、外容器の口径を広げたり、狭めたりすることにより、レフィル容器としての内容器を簡単に外容器内に装着したり、外したりでき、化粧品、薬品、その他の内容物を収納した複合容器として広く利用することができる。
【図面の簡単な説明】
【００５２】
【図１】本発明第１実施例の容器の説明図である。
【図２】外容器と内容器の説明図である。
【図３】外容器と内容器の説明図で、（ａ）は外容器内に内容器の挿入時、（ｂ）は内容器押し上げ時、（ｃ）は外容器内に内容器を装着した時の図である。
【図４】第２実施例の容器の説明図である。
【図５】外容器内に内容器を装着した時の説明図である。
【図６】第３実施例の容器の説明図である。
【図７】外容器内に内容器を装着した時の説明図である。
【符号の説明】
【００５３】
Ａ、Ｅ、Ｇ          外容器
Ａ１、Ｅ１、Ｇ１    前部
Ａ２、Ｅ２、Ｇ２    後部
Ａ３、Ｅ３、Ｇ３    連結部
Ｂ、Ｆ、Ｈ          内容器
Ｃ、Ｃａ、Ｃｂ      取付キャップ
Ｄ、Ｄａ、Ｄｂ      ポンプ
ｓ                  シール
１、１０、２５、３５、４０、５０    口筒部
２、２６、４１      肩部
３、２７、４２      胴筒部
４、１６、２８、４３    ねじ
５、３０、４４      切欠部 
１１、３６、５１    容器胴部
１２、５２          フランジ
１３、３８、５３    係合突部
１５                上壁
１７                側周壁
２０                シリンダー
２１                ステム
２２                ジョイント
２３                ノズルヘッド
２４                吐出ノズル
２９                係合溝
３１、４５          係合凹部
３７                係合突条
【図１】
0004615381.tif 000002
【図２】
0004615381.tif 000003
【図３】
0004615381.tif 000004
【図４】
0004615381.tif 000005
【図５】
0004615381.tif 000006
【図６】
0004615381.tif 000007
【図７】
0004615381.tif 000008